(57)【要約】【課題】本発明は、ＧＳＭ（登録商標）信号とＣＤＭＡ信号の互いの干渉を抑制することができるデュアルモード移動通信端末を提供することを目的とする。【解決手段】本発明のデュアルモード移動通信端末は、ベースバンド回路と、ＧＳＭ（登録商標）アンテナ及びＣＤＭＡアンテナと電気的に接続されるＧＳＭ（登録商標）−ＲＦ回路とを備える。ＣＤＭＡ−ＲＦ回路は増幅器を備え、増幅器はＣＤＭＡアンテナ及びベースバンド回路と電気的に接続され、ベースバンド回路はＧＳＭ（登録商標）信号の送信力によって、増幅器を制御し、増幅器が受信するＧＳＭ（登録商標）信号の強度を抑圧して、ＧＳＭ（登録商標）信号のＣＤＭＡ信号に対する干渉を減少させる。【選択図】図２
2013005442.tif 000002
【特許請求の範囲】
【請求項１】
ＧＳＭ（登録商標）信号の受信及び送信が可能なＧＳＭ（登録商標）アンテナ及びＣＤＭＡ信号の受信及び送信が可能なＤＭＡアンテナを備えるデュアルモード移動通信端末において、前記デュアルモード移動通信端末は、ベースバンド回路と、前記ＧＳＭ（登録商標）アンテナ及びＣＤＭＡアンテナと電気的に接続されるＧＳＭ（登録商標）−ＲＦ回路と、を備え、前記ベースバンド回路は、前記ＧＳＭ（登録商標）−ＲＦ回路及び前記ＣＤＭＡ−ＲＦ回路と電気的に接続され、前記ＧＳＭ（登録商標）信号及びＣＤＭＡ信号をコンパイラーし、且つ前記ＧＳＭ（登録商標）−ＲＦ回路及び前記ＣＤＭＡ−ＲＦ回路にベースバンド信号を提供し、前記ＣＤＭＡ−ＲＦ回路は増幅器（低雑音増幅器）を備え、該増幅器は前記ＣＤＭＡアンテナ及び前記ベースバンド回路と電気的に接続され、前記ベースバンド回路は、ＧＳＭ（登録商標）信号の送信力によって、前記増幅器を制御し、前記増幅器が受信するＧＳＭ（登録商標）信号の強度を抑圧して、さらに前記ＧＳＭ（登録商標）信号の前記ＣＤＭＡ信号に対する干渉を減少させることを特徴とするデュアルモード移動通信端末。
【請求項２】
前記ＣＤＭＡ−ＲＦ回路は、さらにＲＦスイッチを備え、前記ＲＦスイッチは前記受信フィルター及び前記増幅器と電気的に接続され、前記増幅器が出力した非線形信号を抑制し、ＧＳＭ（登録商標）信号の送信タイムスロット割当時、前記ベースバンド回路は、前記ＲＦスイッチを制御して、ＣＤＭＡ信号の受信通路を遮断し、且つ前記増幅器が受信するＧＳＭ（登録商標）信号強度を抑制して、ＣＤＭＡ信号とＧＳＭ（登録商標）信号との間隔を増強させることを特徴とする請求項１に記載のデュアルモード移動通信端末。
【請求項３】
前記ベースバンド回路は、ＣＤＭＡベースバンド−チップ及びＧＳＭ（登録商標）ベースバンド−チップを備え、前記ＧＳＭ（登録商標）ベースバンド−チップは、前記ＣＤＭＡベースバンド−チップ及び前記ＲＦスイッチと電気的に接続され、前記ＧＳＭ（登録商標）−ＲＦ回路２０が入力したＧＳＭ（登録商標）信号を、音響信号にコンパイラーし、また該音響信号を、送信するＲＦ信号にコンパイラーし、且つ該ＲＦ信号を前記ＧＳＭ（登録商標）−ＲＦ回路に送信し、前記ＣＤＭＡベースバンド−チップは、前記ＧＳＭ（登録商標）ベースバンド−チップ及び前記ＣＤＭＡ−ＲＦ回路と電気的に接続され、同時に前記ＣＤＭＡ−ＲＦ回路が入力したＣＤＭＡ信号を音響信号にコンパイラーし、同時に前記ＣＤＭＡ−ＲＦ回路からの音響信号を、送信するＲＦ信号にコンパイラーし、且つ該ＲＦ信号を前記ＣＤＭＡ−ＲＦ回路に送信することを特徴とする請求項２に記載のデュアルモード移動通信端末。
【請求項４】
前記ＣＤＭＡ−ＲＦ回路は、前記ＲＦスイッチと電気的に接続される受信フィルターを備え、前記受信フィルターは、ＣＤＭＡ信号以外の他の周波数成分又は干渉及び雑音を抑制及び濾過して、前記ＣＤＭＡ信号の質を高め、前記ＧＳＭ（登録商標）ベースバンド−チップは、ＧＳＭ（登録商標）信号の送信力によって、前記増幅器のゲインを調整又は設置することを特徴とする請求項３に記載のデュアルモード移動通信端末。
【請求項５】
前記ＣＤＭＡ−ＲＦ回路は、さらに前記受信フィルターと電気的に接続されるＣＤＭＡ受信ユニットを備え、前記ＣＤＭＡ受信ユニットは、前記受信フィルターが送信するＣＤＭＡ信号を受信し、且つ前記ＣＤＭＡ信号を復調し、さらに該復調したＣＤＭＡ信号を前記ＣＤＭＡベースバンド−チップに送信し、前記ＣＤＭＡベースバンド−チップは、前記ＣＤＭＡ受信ユニットが入力したＣＤＭＡ信号を音響信号にコンパイラーすることを特徴とする請求項４に記載のデュアルモード移動通信端末。
【請求項６】
前記ＣＤＭＡ−ＲＦ回路は、さらにＣＤＭＡ送信回路を備え、前記ＣＤＭＡ送信回路は、ＣＤＭＡ送信ユニットと、ＲＦフィルター及び増幅回路と、を備え、前記ＣＤＭＡ送信ユニットは、前記ＣＤＭＡベースバンド−チップと電気的に接続され、前記ＣＤＭＡベースバンド−チップが提供したベースバンド信号を変調し、且つ該変調されたベースバンド信号を、前記ＲＦフィルターに送信し、前記ＲＦフィルターは、前記ＣＤＭＡ送信ユニットと電気的に接続され、該変調されたベースバンド信号を受信した後、雑音及び雑音信号の干渉を抑制及び濾過し、前記増幅回路は、前記ＲＦフィルターと電気的に接続され、前記送信されたＣＤＭＡ信号を増幅させて、前記ＣＤＭＡ信号の増幅の要求を満たすことを特徴とする請求項５に記載のデュアルモード移動通信端末。
【請求項７】
ＧＳＭ（登録商標）信号の受信又は送信が可能なＧＳＭ（登録商標）アンテナ及びＣＤＭＡ信号の受信又は送信が可能なＣＤＭＡアンテナを備えるデュアルモード移動通信端末において、
前記デュアルモード移動通信端末は、ＧＳＭ（登録商標）−ＲＦ回路と、ＣＤＭＡ−ＲＦ回路及びベースバンド回路と、を備え、前記ＧＳＭ（登録商標）−ＲＦ回路は前記ＧＳＭ（登録商標）アンテナと電気的に接続され、前記ＣＤＭＡ−ＲＦ回路は前記ＣＤＭＡアンテナと電気的に接続され、前記ベースバンド回路は、前記ＧＳＭ（登録商標）−ＲＦ回路及び前記ＣＤＭＡ−ＲＦ回路と電気的に接続され、前記ＧＳＭ（登録商標）信号及びＣＤＭＡ信号をコンパイラーし、且つ前記ＧＳＭ（登録商標）−ＲＦ回路及び前記ＣＤＭＡ−ＲＦ回路にベースバンド信号を提供し、前記ＣＤＭＡ−ＲＦ回路は、増幅器（低雑音増幅器）及びＲＦスイッチを備え、前記増幅器は、前記ＣＤＭＡアンテナと電気的に接続され、前記ＧＳＭ（登録商標）アンテナが、異なる送信力のＧＳＭ（登録商標）信号を放射する際、前記ベースバンド回路は、ＧＳＭ（登録商標）信号の送信力によって、前記増幅器を制御し、前記増幅器が受信するＧＳＭ（登録商標）信号の強度を抑圧して、さらに前記ＧＳＭ（登録商標）信号の前記ＣＤＭＡ信号に対する干渉を減少させることを特徴とするデュアルモード移動通信端末。
【請求項８】
前記ＣＤＭＡ−ＲＦ回路は、ＲＦスイッチを備え、前記ＲＦスイッチは前記受信フィルター及び前記増幅器に電気的に接続され、前記増幅器が出力した非線形信号を抑制し、ＧＳＭ（登録商標）信号の送信タイムスロット割当時、前記ベースバンド回路は、前記ＲＦスイッチを制御して、前記ＣＤＭＡ信号の受信通路を遮断し、且つ前記増幅器が受信するＧＳＭ（登録商標）信号強度を抑制して、ＣＤＭＡ信号とＧＳＭ（登録商標）信号との間隔を増強させることを特徴とする請求項７に記載のデュアルモード移動通信端末。
【請求項９】
前記ＣＤＭＡ−ＲＦ回路は、前記ＲＦスイッチと電気的に接続される受信フィルター及び前記受信フィルターと電気的に接続されるＣＤＭＡ受信ユニットを備え、前記受信フィルターは、ＣＤＭＡ信号以外の他の周波数成分又は干渉及び雑音を抑制及び濾過し、前記ＣＤＭＡ受信ユニットは、前記受信フィルターが送信するＣＤＭＡ信号を受信し、且つ前記ＣＤＭＡ信号を復調し、さらに該復調されたＣＤＭＡ信号を前記ＣＤＭＡベースバンド−チップに送信し、前記ＣＤＭＡベースバンド−チップは、前記ＣＤＭＡ受信ユニットが入力したＣＤＭＡ信号を、音響信号にコンパイラーすることを特徴とする請求項８に記載のデュアルモード移動通信端末。
【請求項１０】
前記ＣＤＭＡ−ＲＦ回路は、さらにＣＤＭＡ送信回路を備え、前記ＣＤＭＡ送信回路は、ＣＤＭＡ送信ユニットと、ＲＦフィルター及び増幅回路と、を備え、前記ＣＤＭＡ送信ユニットは、前記ＣＤＭＡベースバンド−チップと電気的に接続され、前記ＣＤＭＡベースバンド−チップが提供したベースバンド信号を変調し、且つ該変調されたベースバンド信号を、前記ＲＦフィルターに送信し、前記ＲＦフィルターは、前記ＣＤＭＡ送信ユニットと電気的に接続され、該変調されたベースバンド信号を受信した後、雑音及び雑音信号の干渉を抑制及び濾過し、前記増幅回路は、前記ＲＦフィルターと電気的に接続され、前記送信されたＣＤＭＡ信号を増幅させて、前記ＣＤＭＡ信号の増幅の要求を満たすことを特徴とする請求項９に記載のデュアルモード移動通信端末。
【発明の詳細な説明】
【技術分野】
【０００１】
本発明は、デュアルモード移動通信端末に関するものである。
【背景技術】
【０００２】
デュアルモード移動通信端末（例えばデュアルモード携帯電話）は、世界移動体通信システム（Ｇｌｏｂａｌ  Ｓｙｓｔｅｍ  Ｆｏｒ  Ｍｏｂｉｌｅ  Ｃｏｍｍｕｎｉｃａｔｉｏｎ，ＧＳＭ（登録商標））方式と符号分割多重接続（Ｃｏｄｅ  Ｄｉｖｉｓｉｏｎａｌ  Ｍｕｌｔｉｐｌｅ  Ａｃｃｅｓｓ，ＣＤＭＡ）方式が、同時にネットワーク待機する移動通信端末である。このような構造を有する携帯電話は、ＧＳＭ（登録商標）（登録商標）信号及びＣＤＭＡ信号を受信するため、ＧＳＭ（登録商標）システム及びＣＤＭＡシステムは、ＧＳＭ（登録商標）アンテナ及びＣＤＭＡアンテナをそれぞれ必要とする。しかし、該ＧＳＭ（登録商標）アンテナとＣＤＭＡアンテナがそれぞれ送信する無線信号のゲインが近い場合（例えば、ＣＤＭＡ８００ＭＨｚ、ＧＭＳ９００ＭＨｚ）、ＣＤＭＡ信号とＧＳＭ（登録商標）信号は互いに干渉して、受信機能及び感度を低下させる。
【発明の概要】
【発明が解決しようとする課題】
【０００３】
以上の問題点に鑑みて、本発明は、ＧＳＭ（登録商標）信号とＣＤＭＡ信号の互いの干渉を抑制することができるデュアルモード移動通信端末を提供することを目的とする。
【課題を解決するための手段】
【０００４】
前記目的を達成するために、本発明に係るデュアルモード移動通信端末は、ＧＳＭ（登録商標）信号の受信及び送信が可能なＧＳＭ（登録商標）アンテナ及びＣＤＭＡ信号の受信及び送信が可能なＤＭＡアンテナを備え、前記デュアルモード移動通信端末は、ベースバンド回路と、前記ＧＳＭ（登録商標）アンテナ及びＣＤＭＡアンテナと電気的に接続されるＧＳＭ（登録商標）−ＲＦ回路と、を備え、前記ベースバンド回路は、前記ＧＳＭ（登録商標）−ＲＦ回路及び前記ＣＤＭＡ−ＲＦ回路と電気的に接続され、前記ＧＳＭ（登録商標）信号及びＣＤＭＡ信号をコンパイラーし、且つ前記ＧＳＭ（登録商標）−ＲＦ回路及び前記ＣＤＭＡ−ＲＦ回路にベースバンド信号を提供し、前記ＣＤＭＡ−ＲＦ回路は増幅器（低雑音増幅器）を備え、該増幅器は前記ＣＤＭＡアンテナ及び前記ベースバンド回路と電気的に接続され、前記ベースバンド回路は、ＧＳＭ（登録商標）信号の送信力によって、前記増幅器を制御し、前記増幅器が受信するＧＳＭ（登録商標）信号の強度を抑圧して、さらに前記ＧＳＭ（登録商標）信号の前記ＣＤＭＡ信号に対する干渉を減少させることを特徴とするデュアルモード移動通信端末。
【発明の効果】
【０００５】
本発明に係るデュアルモード移動通信端末は、前記ＧＳＭ（登録商標）ベースバンド−チップの制御下で、前記増幅器が、ＧＳＭ（登録商標）信号の異なる送信力によって、ゲインを調整し、且つ前記増幅器に進入するＧＳＭ（登録商標）信号強度を抑制して、ＧＳＭ（登録商標）信号の前記ＣＤＭＡ信号に対する干渉を減少させる。これにより、前記増幅器６２２の精確度及び感度を高め、さらにＣＤＭＡ信号の送信の質及び機能を改善することができる。
【図面の簡単な説明】
【０００６】
【図１】本発明に係るデュアルモード移動通信端末の機能ブロック図である。
【図２】図１に示したデュアルモード移動通信端末の回路原理を示した図である。
【図３】本発明に係るデュアルモード移動通信端末の他の実施形態の回路原理を示した図である。
【発明を実施するための形態】
【０００７】
以下、図面に基づいて、本発明に係るデュアルモード移動通信端末について詳細に説明する。
【０００８】
図１及び図２に示したように、本発明に係るデュアルモード移動通信端末１００は、デュアルモード携帯電話又は他の無線通信端末装置である。前記デュアルモード移動通信端末１００は、ＧＳＭ（登録商標）アンテナ１０と、ＧＳＭ（登録商標）−ＲＦ（Ｒａｄｉｏ  Ｆｒｅｑｕｅｎｃｙ）回路２０と、ベースバンド回路３０と、ＣＤＭＡ（Ｃｏｄｅ  Ｄｉｖｉｓｉｏｎ  Ｍｕｌｔｉｐｌｅ  Ａｃｃｅｓｓ）アンテナ４０及びＣＤＭＡ−ＲＦ回路６０と、を備える。
【０００９】
前記ＧＳＭ（登録商標）アンテナ１０はＧＳＭ（登録商標）信号（例えば、ＧＳＭ（登録商標）９００ＭＨｚ、ＧＳＭ（登録商標）１８００ＭＨｚなどの無線信号）を受信及び送信し、前記ＧＳＭ（登録商標）−ＲＦ回路２０は該ＧＳＭ（登録商標）信号を処理する。本実施形態において、前記ＧＳＭ（登録商標）−ＲＦ回路２０及び前記ＧＳＭ（登録商標）アンテナ１０は電気的に接続され、前記ＧＳＭ（登録商標）−ＲＦ回路２０は、前記ＧＳＭ（登録商標）アンテナ１０からのＧＳＭ（登録商標）信号を濾過、復調及び処理し、前記ベースバンド回路３０からのＧＳＭ（登録商標）信号を復調、濾過及び増幅し、該処理後のＧＳＭ（登録商標）信号を前記ＧＳＭ（登録商標）アンテナ１０に送信する。
【００１０】
前記ベースバンド回路３０は、ＧＳＭ（登録商標）ベースバンド−チップ３２及び前記ＧＳＭ（登録商標）ベースバンド−チップ３２と電気的に接続されるＣＤＭＡベースバンド−チップ３４を備える。前記ＧＳＭ（登録商標）ベースバンド−チップ３２と前記ＧＳＭ（登録商標）−ＲＦ回路２０は電気的に接続され、前記ＧＳＭ（登録商標）−ＲＦ回路２０が入力したＧＳＭ（登録商標）信号を音響信号にコンパイラーする。また、同時に、前記ＧＳＭ（登録商標）ベースバンド−チップ３２は、音響信号を、送信するＲＦ信号にコンパイラーし、且つ該ＲＦ信号を前記ＧＳＭ（登録商標）−ＲＦ回路２０に送信する。前記ＣＤＭＡベースバンド−チップ３４は、前記ＣＤＭＡ−ＲＦ回路６０と電気的に接続され、前記ＣＤＭＡ−ＲＦ回路６０が入力したＣＤＭＡ信号を音響信号にコンパイラーし、同時に該音響信号を、送信するＲＦ信号にコンパイラーし、且つ該ＲＦ信号を前記ＣＤＭＡ−ＲＦ回路６０に送信する。
【００１１】
前記ＣＤＭＡアンテナ４０は、前記ＣＤＭＡ信号（例えば、ＣＤＭＡ８００ＭＨｚ、ＣＤＭＡ８５０ＭＨｚなどの無線信号）を受信又は送信する。本実施形態において、前記ＧＳＭ（登録商標）アンテナ１０から送信された高性能ＧＳＭ（登録商標）信号は、放射過程で、前記ＣＤＭＡアンテナ４０に受信される。従って、前記デュアルモード移動通信端末１００のＣＤＭＡシステムの受信機能と感度に影響を及ぼす。
【００１２】
前記ＣＤＭＡ−ＲＦ回路６０は、前記ＣＤＭＡアンテナ４０と電気的に接続され、ＣＤＭＡ受信回路６２と、ＣＤＭＡ送信回路６４と、を備える。前記ＣＤＭＡ受信回路６２は、増幅器６２２と、受信フィルター６２４及びＣＤＭＡ受信ユニット６２６と、を備える。前記増幅器６２２は低雑音増幅器（ＬＮＡ）であり、前記ＣＤＭＡアンテナ４０及び前記前記ＧＳＭ（登録商標）ベースバンド−チップ３２と電気的に接続される。前記増幅器６２２は、ＣＤＭＡ信号を増幅し、自身の雑音が前記ＣＤＭＡ信号に干渉するのを減少させて、信号対雑音比（ＳＮＲ）を高める。前記ＧＳＭ（登録商標）ベースバンド−チップ３２は、ＧＳＭ（登録商標）信号の異なる送信力によって、前記増幅器６２２を制御して、対応するゲインを調整又は設置し、さらに前記増幅器６２２の精確度を調整する。例えば、ＧＳＭ（登録商標）信号の送信力が増加すると、前記ＧＳＭ（登録商標）ベースバンド−チップ３２は、自動的に前記増幅器６２２のゲインを低下させる。これにより、前記増幅器６２２の精確度と感度を高め、ＧＳＭ（登録商標）信号及び雑音の前記ＣＤＭＡ信号に対する干渉を減少させ、且つ前記ＣＤＭＡ信号の送信機能を高めることができる。
【００１３】
前記受信フィルター６２４は前記増幅器６２２と電気的に接続され、ＣＤＭＡ信号以外の他の周波数成分又は干渉及び雑音を抑制及び濾過して、前記ＣＤＭＡ信号の質を高める。また、前記ＣＤＭＡ受信ユニット６２６はＣＤＭＡ受信機であり、前記受信フィルター６２４及び前記ＣＤＭＡベースバンド−チップ３４と電気的に接続される。前記ＣＤＭＡ受信ユニット６２６は、前記受信フィルター６２４が送信するＣＤＭＡ信号を受信し、且つ前記ＣＤＭＡ信号を復調し、さらに該復調したＣＤＭＡ信号を前記ＣＤＭＡベースバンド−チップ３４に送信する。前記ＣＤＭＡベースバンド−チップ３４は、前記ＣＤＭＡ受信ユニット６２６が入力したＣＤＭＡ信号を音響信号にコンパイラーする。
【００１４】
前記ＣＤＭＡ送信回路６４は、ＣＤＭＡ送信ユニット６４２と、ＲＦフィルター６４４及び増幅回路６４６と、を備える。前記ＣＤＭＡ送信ユニット６４２はＣＤＭＡ送信機であり、前記ＣＤＭＡベースバンド−チップ３４と電気的に接続される。前記ＣＤＭＡ送信ユニット６４２は、前記ＣＤＭＡベースバンド−チップ３４が提供したベースバンド信号を変調し、且つ該変調したベースバンド信号を前記ＲＦフィルター６４４に送信する。前記ＲＦフィルター６４４は、前記ＣＤＭＡ送信ユニット６４２と電気的に接続され、該変調されたベースバンド信号を受信した後、雑音及び雑音信号の干渉を抑制及び濾過する。前記増幅回路６４６は、前記ＲＦフィルター６４４と電気的に接続され、前記送信されたＣＤＭＡ信号を増幅させる。これにより、前記ＣＤＭＡ信号の増幅の要求を満たすことができる。
【００１５】
図３を参照すると、本発明の他の実施形態のデュアルモード移動通信端末２００は、ＣＤＭＡ−ＲＦ回路７０を備え、該ＣＤＭＡ−ＲＦ回路７０のＣＤＭＡ受信回路７２は、さらにＲＦスイッチ７２７を備える。前記ＲＦスイッチ７２７は、前記受信フィルター６２４及び前記増幅器６２２と電気的に接続され、且つ前記ＧＳＭ（登録商標）ベースバンド−チップ３２と電気的に接続され、前記増幅器６２２が出力した非線形信号を抑制する。
【００１６】
本実施形態において、ＧＳＭ（登録商標）信号の送信タイムスロット割当時、前記ＧＳＭ（登録商標）ベースバンド−チップ３２は、前記ＲＦスイッチ７２７を制御して、前記ＣＤＭＡ信号の受信通路を遮断し、且つ前記増幅器６２２が受信するＧＳＭ（登録商標）信号強度を抑制して、ＣＤＭＡ信号とＧＳＭ（登録商標）信号との間隔を増強させる。また、前記ＧＳＭ（登録商標）信号の他のタイムスロット割当時は、前記ＲＦスイッチ７２７を切り替えて、ＣＤＭＡ信号の受信通路を開ける。
【００１７】
本発明のデュアルモード移動通信端末１００は、前記ＧＳＭ（登録商標）ベースバンド−チップ３２の制御下で、前記増幅器６２２が、ＧＳＭ（登録商標）信号の異なる送信力によって、ゲインを調整し、且つ前記増幅器６２２に進入するＧＳＭ（登録商標）信号強度を抑制して、ＧＳＭ（登録商標）信号の前記ＣＤＭＡ信号に対する干渉を減少させる。これにより、前記増幅器６２２の精確度及び感度を高め、さらにＣＤＭＡ信号の送信の質及び機能を改善することができる。
【００１８】
以上、本発明の好適な実施形態について詳細に説明したが、本発明は前記実施形態に限定されるものではなく、本発明の範囲内で種々の変形又は修正が可能であり、該変形又は修正もまた、本発明の特許請求の範囲内に含まれるものであることは、言うまでもない。
【符号の説明】
【００１９】
１００、２００    デュアルモード移動通信端末
１０              ＧＳＭ（登録商標）アンテナ
２０              ＧＳＭ（登録商標）−ＲＦ回路
３０              ベースバンド回路
３２              ＧＳＭ（登録商標）ベースバンド−チップ
３４              ＣＤＭＡベースバンド−チップ
４０              ＣＤＭＡアンテナ
６０、７０        ＣＤＭＡ−ＲＦ回路
６２、７２        ＣＤＭＡ受信回路
６２２            増幅器
６２４            受信フィルター
６２６            ＣＤＭＡ受信ユニット
６２７、７２７    ＲＦスイッチ
６４              ＣＤＭＡ送信回路
６４２            ＣＤＭＡ送信ユニット
６４４            ＲＦフィルター
６４６            増幅回路
【図１】
2013005442.tif 000003
【図２】
2013005442.tif 000004
【図３】
2013005442.tif 000005